(57)【要約】【課題】屋外での使用にも適するベルトパーティションスタンドを提供する。【解決手段】台座と、上記台座から起立する支柱と、上記支柱の上端部に連結されるヘッド体４と、当該ヘッド体４に収納され、繰り出し可能に巻回されたパーティションベルト５と、を備え、ヘッド体４は、パーティションベルト５を通すためのベルト用開口４１１が形成された筒状部４１と、当該筒状部４１の上方に配置され、垂直方向に見て筒状部４１の全体と重なる天井部４２と、筒状部４１の下方に配置され、支柱２に連結される筒状の連結部４３と、筒状部４１の内側に配置され、巻回されたパーティションベルト５を支持するベルト支持ユニット４４と、を含み、ベルト支持ユニット４４には、当該ベルト支持ユニット４４の内側空間から連結部４３の内側空間に連通する連通口４５４が形成されている。【選択図】図５
2020176391.tif 000002
【特許請求の範囲】
【請求項１】
台座と、上記台座から起立する支柱と、上記支柱の上端部に連結されるヘッド体と、当該ヘッド体に収納され、繰り出し可能に巻回されたパーティションベルトと、を備え、
上記ヘッド体は、上記パーティションベルトを通すためのベルト用開口が形成された筒状部と、当該筒状部の上方に配置され、垂直方向に見て上記筒状部の全体と重なる天井部と、上記筒状部の下方に配置され、上記支柱に連結される筒状の連結部と、上記筒状部の内側に配置され、巻回された上記パーティションベルトを支持するベルト支持ユニットと、を含み、
上記ベルト支持ユニットには、当該ベルト支持ユニットの内側空間から上記連結部の内側空間に連通する連通口が形成されている、ベルトパーティションスタンド。
【請求項２】
上記筒状部は、全体として、下方に向かうにつれて横断面寸法が小さくなるように形成されている、請求項１に記載のベルトパーティションスタンド。
【請求項３】
上記ベルト支持ユニットには、幅寸法が互いに異なり、上記パーティションベルトを通過させるためのスリット状の複数のベルト通過溝が形成されている、請求項１または２に記載のベルトパーティションスタンド。
【請求項４】
上記ベルト支持ユニットは、上記天井部に一体的に取り付けられている、請求項１ないし３のいずれかに記載のベルトパーティションスタンド。
【請求項５】
上記筒状部の上記ベルト用開口は、上端が開放端とされている、請求項４に記載のベルトパーティションスタンド。
【請求項６】
上記支柱は、上端および下端がそれぞれ開口する筒状とされており、
上記台座には貫通孔が形成され、当該貫通孔に上記支柱の下端部が内挿されている、請求項１ないし５のいずれかに記載のベルトパーティションスタンド。
【発明の詳細な説明】
【技術分野】
【０００１】
本発明は、ヘッド体から繰り出されたパーティションベルトを相互間に張設して通路の規制などをするためのベルトパーティションスタンドに関する。
【背景技術】
【０００２】
従来、金融機関やイベント会場などの様々な施設において、歩行者の通路規制などを行うために、ベルトパーティションスタンドが使用されている。ベルトパーティションスタンドは、一般に、床面に載置される台座と、この台座から起立する支柱と、支柱の上端に連結されたヘッド体とを備えている（たとえば、特許文献１を参照）。特許文献１に開示されたベルトパーティションスタンドにおいて、ヘッド体（第２のパイプ４）には、同文献の図１に表れているように、繰り出し可能な状態で巻軸（２１）に巻回されたパーティションベルト（２１）が収納されている。パーティションベルト（２１）は、付勢手段（ぜんまいばね２３）によって巻き取り方向に付勢されている。ヘッド体は、パーティションベルト（２１）を繰り出すための開口（ベルト導出部２２）が形成された密閉ケース状とされている。
【０００３】
ベルトパーティションスタンドの使用時には、パーティションベルト（２１）を繰り出し、当該ベルトの先端部に設けられたベルトエンド（２９）を、他のベルトパーティションスタンドのヘッド体に設けられたベルトエンド受け部（３２）に係止する。これにより、パーティションベルト（２１）は、隣接するベルトパーティションスタンドの相互間に張設され、歩行者の通路規制などを行うことができる。
【０００４】
しかしながら、上記従来のベルトパーティションスタンドは、屋内での使用を目的として作られたものであり、屋外での使用は考慮されていない。このため、たとえば雨天時にベルトパーティションスタンドを屋外で使用し、水分を含んだパーティションベルトをヘッド体に巻き取ると、当該ヘッド体の内部に水が侵入する。また、ヘッド体に形成されたベルト用の開口から、ヘッド体の内部に水が侵入し得る。そうすると、ヘッド体の内部の水分がなかなか排出されずにヘッド体の内部に滞留し、ヘッド体の構成部品に錆が発生する等の不都合を招くおそれがあった。
【先行技術文献】
【特許文献】
【０００５】
【特許文献１】実用新案登録第３００８７６２号公報
【発明の概要】
【発明が解決しようとする課題】
【０００６】
本発明は、このような事情のもとで考え出されたものであって、屋外での使用にも適するベルトパーティションスタンドを提供することを主たる課題とする。
【課題を解決するための手段】
【０００７】
上記の課題を解決するため、本発明では、次の技術的手段を講じている。
【０００８】
本発明によって提供されるベルトパーティションスタンドは、台座と、上記台座から起立する支柱と、上記支柱の上端部に連結されるヘッド体と、当該ヘッド体に収納され、繰り出し可能に巻回されたパーティションベルトと、を備え、上記ヘッド体は、上記パーティションベルトを通すためのベルト用開口が形成された筒状部と、当該筒状部の上方に配置され、垂直方向に見て上記筒状部の全体と重なる天井部と、上記筒状部の下方に配置され、上記支柱に連結される筒状の連結部と、上記筒状部の内側に配置され、巻回された上記パーティションベルトを支持するベルト支持ユニットと、を含み、上記ベルト支持ユニットには、当該ベルト支持ユニットの内側空間から上記連結部の内側空間に連通する連通口が形成されている。
【０００９】
好ましい実施の形態においては、上記筒状部は、全体として、下方に向かうにつれて横断面寸法が小さくなるように形成されている。
【００１０】
好ましい実施の形態においては、上記ベルト支持ユニットには、幅寸法が互いに異なり、上記パーティションベルトを通過させるためのスリット状の複数のベルト通過溝が形成されている。
【００１１】
好ましい実施の形態においては、上記ベルト支持ユニットは、上記天井部に一体的に取り付けられている。
【００１２】
好ましい実施の形態においては、上記筒状部の上記ベルト用開口は、上端が開放端とされている。
【００１３】
好ましい実施の形態においては、上記支柱は、上端および下端がそれぞれ開口する筒状とされており、上記台座には貫通孔が形成され、当該貫通孔に上記支柱の下端部が内挿されている。
【００１４】
本発明のその他の特徴および利点は、添付図面を参照して以下に行う詳細な説明によって、より明らかとなろう。
【図面の簡単な説明】
【００１５】
【図１】本発明に係るベルトパーティションスタンドの一例を示す斜視図である。
【図２】図１に示すベルトパーティションスタンドにおけるヘッド体の拡大平面図である。
【図３】図１に示すベルトパーティションスタンドの要部拡大分解斜視図である。
【図４】図１に示すベルトパーティションスタンドを底面側から見た要部拡大分解斜視図である。
【図５】図２のＶ−Ｖ線に沿う断面図である。
【図６】図２のＶＩ−ＶＩ線に沿う断面図である。
【図７】図２のＶＩＩ−ＶＩＩ線に沿う断面図である。
【図８】図５のＶＩＩＩ−ＶＩＩＩ線に沿う断面図である。
【図９】図１に示すベルトパーティションスタンドの部材間の接続構造を示す要部拡大断面図である。
【図１０】本発明の参考例に係るベルトパーティションスタンドを示す斜視図である。
【図１１】図１０に示すベルトパーティションスタンドにおけるヘッド体の拡大平面図である。
【図１２】図１１のＸＩＩ−ＸＩＩ線に沿う断面図である。
【図１３】図１１のＸＩＩＩ−ＸＩＩＩ線に沿う断面図である。
【図１４】図１２のＸＩＶ−ＸＩＶ線に沿う断面図である。
【発明を実施するための形態】
【００１６】
以下、本発明の好ましい実施の形態について、図面を参照して具体的に説明する。
【００１７】
図１〜図９は、本発明に係るベルトパーティションスタンドの一例を示す。本実施形態のベルトパーティションスタンドＡ１は、台座１と、この台座１から起立する支柱２と、支柱２に連結されるヘッド体４と、パーティションベルト５と、パーティションベルト５の先端部に設けられたベルトエンド６と、を備えている。
【００１８】
台座１は、床面や地面に載置される部材であり、略円錐台形状とされている。支柱２は、円筒状に形成されている。台座１と支柱２との連結構造の詳細については、後述する。
【００１９】
ヘッド体４は、支柱２の上端部に連結されており、パーティションベルト５を収納可能である。ヘッド体４は、筒状部４１、天井部４２、連結部４３、およびベルト支持ユニット４４を含む。筒状部４１は、概略筒状とされており、上端および下端がそれぞれ開口している。図１、図３、図７等に表れているように、筒状部４１は、全体として、下方に向かうにつれて横断面寸法が小さくなるように形成されている。
【００２０】
筒状部４１には、ベルト用開口４１１と、複数のベルトエンド受け部４１２とが形成されている。ベルト用開口４１１は、パーティションベルト５を通すための開口であり、上下方向に延びるスリット状とされている。図３、図５等から理解されるように、ベルト用開口４１１の上端は開放している。複数のベルトエンド受け部４１２は、ベルト用開口４１１に対して筒状部４１の周方向に９０°ずつずれた３箇所に位置している。各ベルトエンド受け部４１２は、筒状部４１の軸方向に沿って一定長さ延びるようにして横断面略Ｔ字状に形成されている。
【００２１】
天井部４２は、筒状部４１の上方に配置されており、筒状部４１の上端開口を覆っている。天井部４２は、平面視サイズが比較的大きくされており、図２、図７に示すように、垂直方向に見て筒状部４１（ベルトエンド受け部４１２を除いた筒状胴部）の全体と重なっている。天井部４２の上面は、平面視における中央が上方に膨らんでおり、周縁側に向かうにつれて下がっている。
【００２２】
連結部４３は、筒状部４１の下方に配置されている。連結部４３は、筒状とされており、上端および下端がそれぞれ開口している。連結部４３は、その下方寄りにおいて円筒状とされた円筒部４３１を有する。連結部４３の上方寄りの部位は、下方にむかうにつれて縮径するテーパ状とされている。円筒部４３１は、支柱２の上端に連結される部位である。支柱２と円筒部４３１（連結部４３）との連結構造の詳細については、後述する。
【００２３】
ベルト支持ユニット４４は、筒状部４１の内側に配置されており、巻回されたパーティションベルト５を支持する。より具体的には、図３〜図７に示すように、ベルト支持ユニット４４は、円筒ハウジング４５およびリール４６を含む。
【００２４】
円筒ハウジング４５は、概略有底円筒状とされており、複数のベルト通過溝４５１，４５２、および底板４５３を有する。図３、図４に示すように、円筒ハウジング４５の周壁部分は、その適所が開口している。また、図３〜図５、図８に示すように、円筒ハウジング４５の周壁部分に、複数のベルト通過溝４５１，４５２が形成されている。各ベルト通過溝４５１，４５２は、パーティションベルト５を通過させるためのスリット状の開口である。これらベルト通過溝４５１，４５２は、それぞれの幅寸法が互いに異ならせられている。本実施形態では、２つのベルト通過溝４５１，４５２が筒状部４１の中心軸線を挟んで互いに反対側に設けられている。また、ベルト通過溝４５１の幅寸法は相対的に小であり、ベルト通過溝４５２の幅寸法は相対的に大である。図８に示すように、一方のベルト通過溝４５１は、筒状部４１の中心軸線とベルト用開口４１１とを結ぶ線分上に位置する。
【００２５】
図４〜図６に示すように、円筒ハウジング４５の底板４５３には、連通口４５４が形成されている。連通口４５４は、底板４５３をその厚さ方向に貫通する貫通孔である。図５、図６等から理解されるように、連通口４５４を介して、ベルト支持ユニット４４の内側空間と連結部４３の内側空間とが連通している。本実施形態では、底板４５３において均等に分散して複数（本実施形態では４つ）の連通口４５４が形成されている。
【００２６】
リール４６は、パーティションベルト５を巻回して保持するものである。リール４６は、円筒ハウジング４５の内側に配置されており、当該円筒ハウジング４５により回転自在に支持されている。より具体的には、図５〜図８に示すように、リール４６は、巻軸４６１、上部板４６２および下部板４６３を有する。上部板４６２および下部板４６３は円板状とされており、巻軸４６１の上端および下端に連結されている。パーティションベルト５の収納時には、当該パーティションベルト５は巻軸４６１に巻回される。なお、図３〜図８において、巻回されたパーティションベルト５は図示せずに省略している。ヘッド体４の外部に位置するベルトエンド６を引っ張ることで、リール４６が回転しながらパーティションベルト５が繰り出される。
【００２７】
図５〜図７に示すように、ベルト支持ユニット４４の上部には、付勢手段４７が配置されている。付勢手段４７は、たとえばぜんまいばねからなり、この付勢手段４７によってパーティションベルト５が巻き取り方向に付勢されている。これにより、ヘッド体４から繰り出されたパーティションベルト５は、無負荷状態においてリール４６（巻軸４６１）に巻き取られる。
【００２８】
図４〜図６に表れているように、ベルト支持ユニット４４（円筒ハウジング４５）は、その上部がねじ締結などの適宜手段によって天井部４２の下部に固定される。また、図４、図７等から理解されるように、筒状部４１の上端は、天井部４２の外周部下端に内嵌される。さらに、筒状部４１の下端には、連結部４３の外周部上端が外嵌される。それとともに、ベルト支持ユニット４４（円筒ハウジング４５）の下部と連結部４３の上部とが、ねじ締結などの適宜手段によって着脱可能に連結される。このようにして、筒状部４１、天井部４２、連結部４３およびベルト支持ユニット４４が相互に組み付けられる。
【００２９】
パーティションベルト５は、略一定の幅および厚さを有して帯長状に延びている。パーティションベルト５は、上述のように、筒状部４１に設けられたスリット状のベルト用開口４１１を通じてヘッド体４の外部に繰り出し可能とされている。また、本実施形態では、ベルト支持ユニット４４内に巻回されたパーティションベルト５は、スリット状のベルト通過溝４５１を通過している。
【００３０】
パーティションベルト５の材質は特に限定されず、用途に応じて種々選択可能である。パーティションベルト５の厚さや長さ、パーティションベルト５の材質に応じて適宜設定される。パーティションベルト５の材質は、特に限定されない。パーティションベルト５の材質としては、たとえば、ポリエチレンフィルムなどの樹脂フィルム、あるいはポリエステル繊維などの合成樹脂繊維からなる織物シートが挙げられる。また、必要に応じて、パーティションベルト５に撥水加工等を施してもよい。パーティションベルト５の幅（使用時における上下方向の寸法）は、たとえば４５〜５０ｍｍ程度である。パーティションベルト５の材質が樹脂フィルムの場合、当該パーティションベルト５の厚さが０．２〜０．３ｍｍ程度、長手方向の寸法が４〜６ｍ程度である。パーティションベルト５の材質が織物シートの場合、当該パーティションベルト５の厚さが０．４〜０．９ｍｍ程度、長手方向の寸法が１．５〜３．５ｍ程度である。
【００３１】
パーティションベルト５の厚さが相対的に薄い場合、相対的に幅寸法が小であるベルト通過溝４５１をパーティションベルト５が通過するようにヘッド体４を組み付ける。一方、パーティションベルト５の厚さが相対的に厚い場合、相対的に幅寸法が大であるベルト通過溝４５２をパーティションベルト５が通過するようにヘッド体４を組み付ける。
【００３２】
図８に表れているように、パーティションベルト５を巻回するための巻軸４６１は、上下に延びる凹部４６１ａと、この凹部４６１ａにつながり、上下に延びるスリット４６１ｂとを有する。パーティションベルト５の基端部は袋状となっており、パーティションベルト５の基端部がスリット４６１ｂを通過した状態で、凹部４６１ａに位置する袋状部分に係止軸７が挿通されている。これによりパーティションベルト５の基端部は巻軸４６１に係止され、パーティションベルト５の抜け止めが図られている。
【００３３】
パーティションベルト５の先端部に設けられたベルトエンド６は、概略円柱状とされている。このベルトエンド６の下端から上端近傍にかけて横断面略Ｔ字状の溝が形成されている。ベルトエンド６の溝には、筒状部４１のベルトエンド受け部４１２が嵌合可能である。ベルトパーティションスタンドＡ１の使用時には、パーティションベルト５を繰り出すとともに、ベルトエンド６の溝に他のベルトパーティションスタンドＡ１のベルトエンド受け部４１２を嵌合させる。これにより、隣接するベルトパーティションスタンドＡ１の相互間にパーティションベルト５を張設することができる。
【００３４】
図９に示すように、支柱２は、全体が円筒状とされており、上端および下端が開口する。台座１は、本体１１、および係止部材１２，１３を含んで構成される。本体１１の中央には上下方向に貫通する貫通孔１１ａが形成されている。係止部材１２は、概略円筒状とされており、貫通孔１１ａに内嵌される。係止部材１２の上端には径方向外方に延出する係止片１２１が形成されており、当該係止片１２１が本体１１の上端に当接する。
【００３５】
支柱２の下端部は、係止部材１２に内嵌されている。本実施形態では、支柱２の下端部には、一対の取付孔２１が支柱２の中心軸線を挟んで対向するように形成されている。係止部材１３は、概略円筒状とされており、支柱２の下端部に内嵌されている。これにより、支柱２の下端部は係止部材１２および係止部材１３によって挟まれた状態となっている。また、係止部材１３にはナット部材１４が保持されており、係止部材１２の外側から止めネジ１５が取付孔２１を挿通し、かつナット部材１４に螺合している。これにより、支柱２の下端部、係止部材１２および係止部材１３は、相互に連結されている。そして、図９に示した台座１と支柱２との連結構造において、台座１（本体１１）の貫通孔１１ａに支柱２の下端部が内挿されている。
【００３６】
支柱２の上端部には、連結部４３の円筒部４３１が内嵌されている。また、本実施形態では、支柱２の上端部には、一対の取付孔２２が支柱２の中心軸線を挟んで対向するように形成されている。円筒部４３１にはナット部材４３２が保持されており、支柱２の外側から止めネジ４３３が取付孔２２を挿通し、かつナット部材４３２に螺合している。これにより、支柱２の上端部および円筒部４３１（連結部４３）は、着脱可能に連結されている。
【００３７】
次に、本実施形態の作用について説明する。
【００３８】
本実施形態のベルトパーティションスタンドＡ１において、ヘッド体４は、筒状部４１、天井部４２、連結部４３およびベルト支持ユニット４４を含む。天井部４２は、筒状部４１の上方に配置されており、筒状部４１の上端開口を覆っている。連結部４３は筒状であり、筒状部４１の下方に配置されている。ベルト支持ユニット４４は、筒状部４１の内側に配置されており、ベルト支持ユニット４４（円筒ハウジング４５）には、ベルト支持ユニット４４の内側空間から連結部４３の内側空間に連通する連通口４５４が形成されている。たとえば雨天時にベルトパーティションスタンドＡ１を屋外で使用し、水滴が付着し、あるいは水分を含んだパーティションベルト５をヘッド体４に巻き取ると、ベルト支持ユニット４４の内部（ヘッド体４の内部）に水が侵入する。また、ベルト用開口４１１を通じてヘッド体４の内部に水が侵入し得る。上記構成によれば、ベルト支持ユニット４４の内部に侵入した水が連通口４５４を介して筒状の連結部４３に流れ落ち、連結部４３の下端から排出される。したがって、ヘッド体４の内部に水が滞留することは防止され、ベルトパーティションスタンドＡ１は屋外での使用にも適する。
【００３９】
天井部４２は、垂直方向に見て筒状部４１の全体と重なっている。筒状部４１は、全体として、下方に向かうにつれて横断面寸法が小さくなるように形成されている。このような構成によれば、雨天時にベルトパーティションスタンドＡ１を屋外で使用する場合、天井部４２および筒状部４１の外周を伝って流れる水がベルト用開口４１１を通じて筒状部４１（ヘッド体４）の内側に侵入することは、抑制される。このことは、ベルトパーティションスタンドＡ１の屋外での使用により適している。
【００４０】
ベルト支持ユニット４４には、パーティションベルト５を通過させるためのスリット状の複数のベルト通過溝４５１，４５２が形成されている。これらベルト通過溝４５１，４５２は、幅寸法が互いに異なる。パーティションベルト５の厚さは用途に応じて種々異なるが、本実施形態と異なり単一のベルト通過溝のみを有する場合、当該ベルト通過溝の幅寸法は、パーティションベルト５の厚さが相対的に厚い場合に対応させる必要がある。そうすると、厚さが相対的に薄いパーティションベルト５を使用する場合、ベルト通過溝に当該パーティションベルト５を通した状態での隙間が比較的大きく、パーティションベルト５を巻き取る際にパーティションベルト５が折り重なる等の不都合が生じ得た。本実施形態においては、上述のように、互いに幅寸法が異なる複数のベルト通過溝４５１，４５２を有する。このような構成によれば、複数のベルト通過溝４５１，４５２のうちパーティションベルト５の厚さに適したいずれかに、当該パーティションベルト５を通して使用することができる。したがって、本実施形態のベルトパーティションスタンドＡ１は、厚さの異なるパーティションベルト５について兼用することができ、また、必要に応じてパーティションベルト５を異なる厚さのものに交換して使用することが可能である。
【００４１】
ベルト支持ユニット４４（円筒ハウジング４５）は、天井部４２に一体的に取り付けられる。また、筒状部４１のベルト用開口４１１は、その上端が開放端とされている。このような構成によれば、ヘッド体４を組み付ける際、ベルト支持ユニット４４から繰り出されるパーティションベルト５をベルト用開口４１１の開放端から通しながら、ベルト支持ユニット４４を筒状部４１の内側に配置することができる。これにより、ヘッド体４の組み立てを容易に行うことが可能である。
【００４２】
支柱２は、上端および下端がそれぞれ開口する筒状とされている。台座１には貫通孔１１ａが形成されており、当該貫通孔１１ａに支柱２の下端部が内挿される。このような構成によれば、ベルト支持ユニット４４の内部（ヘッド体４の内部）に一旦侵入し、その後、連結部４３の下端から排出された水は、支柱２および台座１の内部を通過してベルトパーティションスタンドＡ１の下端から効率よく排出される。
【００４３】
図１０〜図１４は、本発明の参考例に係るベルトパーティションスタンドを示している。本参考例のベルトパーティションスタンドＡ２は、台座１と、この台座１から起立する支柱２と、支柱２に連結されるヘッド体４と、パーティションベルト５と、パーティションベルト５の先端部に設けられたベルトエンド６と、を備えている。本参考例のベルトパーティションスタンドＡ２は、上記実施形態のベルトパーティションスタンドＡ１と比べてヘッド体４の構成が大きく異なり、台座１および支柱２についても適宜変更されている。なお、図１０以降の図においては、上記実施形態と同一または類似の要素には、同一の符号を付しており、適宜説明を省略する。
【００４４】
ベルトパーティションスタンドＡ２において、台座１は、平面視略円形の板状とされている。図示説明は省略するが、支柱２は、台座１に対して、たとえばねじを用いた締結によって着脱可能に連結されている。台座１には、一定幅の切欠き１０１が形成されている。この切欠き１０１の幅寸法は、支柱２の外径よりも少し大とされている。複数のベルトパーティションスタンドＡ２を収納する際には、支柱２が別のベルトパーティションスタンドＡ２の切欠き１０１に嵌り込むようにすると、収納スペースを縮小することができる。
【００４５】
ヘッド体４は、胴部４１Ａ、天板４２Ａ、底板４３Ａ、およびベルト支持ユニット４４を含む。胴部４１Ａには、上記実施形態のベルトパーティションスタンドＡ１における筒状部４１と同様に、ベルト用開口４１１と、複数のベルトエンド受け部４１２とが形成されている。ベルトパーティションスタンドＡ２において、胴部４１Ａ、天板４２Ａ、底板４３Ａは、パーティションベルト５を繰り出すためのベルト用開口４１１が形成された密閉ケース状とされている。底板４３Ａの中央には、下方に延出する連結ネジ４３１Ａが設けられている。図示説明は省略するが、ヘッド体４（底板４３Ａ）は、支柱２の上端部に対して、連結ネジ４３１Ａを用いたねじ締結によって着脱可能に連結されている。
【００４６】
ベルト支持ユニット４４は、胴部４１Ａの内側に配置されている。ベルト支持ユニット４４の構成は、上記のベルトパーティションスタンドＡ１の場合と実質的に同一である。
【００４７】
本参考例のベルトパーティションスタンドＡ２において、ベルト支持ユニット４４には、パーティションベルト５を通過させるためのスリット状の複数のベルト通過溝４５１，４５２が形成されている。これらベルト通過溝４５１，４５２は、幅寸法が互いに異なる。パーティションベルト５の厚さは用途に応じて種々異なるが、本参考例と異なり単一のベルト通過溝のみを有する場合、当該ベルト通過溝の幅寸法は、パーティションベルト５の厚さが相対的に厚い場合に対応させる必要がある。そうすると、厚さが相対的に薄いパーティションベルト５を使用する場合、ベルト通過溝に当該パーティションベルト５を通した状態での隙間が比較的大きく、パーティションベルト５を巻き取る際にパーティションベルト５が折り重なる等の不都合が生じ得た。本参考例においては、上述のように、互いに幅寸法が異なる複数のベルト通過溝４５１，４５２を有する。このような構成によれば、複数のベルト通過溝４５１，４５２のうちパーティションベルト５の厚さに適したいずれかに、当該パーティションベルト５を通して使用することができる。したがって、本参考例のベルトパーティションスタンドＡ２は、厚さの異なるパーティションベルト５について兼用することができ、また、必要に応じてパーティションベルト５を異なる厚さのものに交換して使用することが可能である。
【００４８】
以上、本発明の具体的な実施形態を説明したが、本発明はこれに限定されるものではなく、発明の思想から逸脱しない範囲内で種々な変更が可能である。本発明に係るベルトパーティションスタンドの各部の具体的な構成は、種々に設計変更自在である。
【符号の説明】
【００４９】
Ａ１，Ａ２    ベルトパーティションスタンド
１          台座
１０１      切欠き
１１        本体
１１ａ      貫通孔
１２        係止部材
１２１      係止片
１３        係止部材
１４        ナット部材
１５        止めネジ
２          支柱
２１，２２    取付孔
４          ヘッド体
４１        筒状部
４１Ａ      胴部
４１１      ベルト用開口
４１２      ベルトエンド受け部
４２        天井部
４２Ａ      天板
４３        連結部
４３Ａ      底板
４３１      円筒部
４３１Ａ    連結ネジ
４３２      ナット部材
４３３      止めネジ
４４        ベルト支持ユニット
４５        円筒ハウジング
４５１，４５２    ベルト通過溝
４５３      底板
４５４      連通口
４６        リール
４６１      巻軸
４６１ａ    凹部
４６１ｂ    スリット
４６２      上部板
４６３      下部板
４７        付勢手段
５          パーティションベルト
６          ベルトエンド
７          係止軸
【図１】
2020176391.tif 000003
【図２】
2020176391.tif 000004
【図３】
2020176391.tif 000005
【図４】
2020176391.tif 000006
【図５】
2020176391.tif 000007
【図６】
2020176391.tif 000008
【図７】
2020176391.tif 000009
【図８】
2020176391.tif 000010
【図９】
2020176391.tif 000011
【図１０】
2020176391.tif 000012
【図１１】
2020176391.tif 000013
【図１２】
2020176391.tif 000014
【図１３】
2020176391.tif 000015
【図１４】
2020176391.tif 000016